【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックは第１のクッション材で形成され、前記端部ブロックは前記第１のクッション材よりも硬質な第２のクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックの見かけの硬度は、前記端部ブロックの前記硬度調整手段が設けられていない外方周縁部の見かけの硬度よりも低く、
前記硬度調整手段が、前記端部ブロックの上面又は下面に形成された複数の凹溝であり、
前記複数の凹溝はマットレスの長手方向に配列され、前記中央ブロックと接する方向に向かって、各凹溝の空隙体積が漸次増加するように形成された配列領域を有し、
前記仰臥姿勢の使用者の肩部と接する位置と対応する部分に、少なくとも、前記複数の凹溝のうち空隙体積が最も大きい凹溝が配置されていることを特徴とするマットレス。
【請求項２】
前記凹溝の空隙体積の増加は、溝深さの増大、溝幅の拡大又はこれらの組み合わせにより行われることを特徴とする請求項１に記載のマットレス。
【請求項３】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックは第１のクッション材で形成され、前記端部ブロックは前記第１のクッション材よりも硬質な第２のクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックの見かけの硬度は、前記端部ブロックの前記硬度調整手段が設けられていない外方周縁部の見かけの硬度よりも低く、
前記硬度調整手段が、前記端部ブロックの上面又は下面に形成された複数の凹溝であり、
前記複数の凹溝はマットレスの長手方向に配列され、前記中央ブロックと接する方向に向かって、隣接する凹溝と凹溝との間隔が漸次狭くなるように形成された配列領域を有し、
前記仰臥姿勢の使用者の肩部と接する位置と対応する部分における、隣接する凹溝と凹溝との間隔の平均値が、他の部分における平均値よりも小さくなるように凹溝が配置されていることを特徴とするマットレス。
【請求項４】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックは第１のクッション材で形成され、前記端部ブロックは前記第１のクッション材よりも硬質な第２のクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックの見かけの硬度は、前記端部ブロックの前記硬度調整手段が設けられていない外方周縁部の見かけの硬度よりも低く、
前記硬度調整手段が、前記端部ブロックの厚み方向に形成された複数の貫通孔であり、
前記複数の貫通孔の配置は、前記中央ブロックと接する方向に向かって、前記貫通穴の空隙容積または個数の少なくとも一方が漸次増加するように形成された領域を有し、
前記仰臥姿勢の使用者の肩部と接する位置と対応する部分に、少なくとも、前記複数の貫通孔のうち空隙容積が最も大きい貫通孔が配置されているか、隣接する貫通孔と貫通孔との間隔の平均値が、他の部分における平均値よりも小さくなるように貫通孔が配置されていることを特徴とするマットレス。
【請求項５】
前記端部ブロックを形成する前記第２のクッション材の硬度（ＪＩＳ  Ｋ６４０１「耐荷重用軟質ポリウレタンフォーム」準拠）が１８０〜４４０Ｎであり、前記第１のクッション材の硬度に対する前記第２のクッション材の硬度比（ＪＩＳ  Ｋ６４０１「耐荷重用軟質ポリウレタンフォーム」に準拠して測定された硬度の比）が１．５〜６．５であることを特徴とする請求項１〜４のいずれか１項に記載のマットレス。
【請求項６】
前記第１のクッション材及び前記第２のクッション材は、それぞれが、樹脂発泡体、三次元網状構造体及び綿成形体からなる群から選択される１種以上の材料であることを特徴とする請求項１〜５のいずれか１項に記載のマットレス。
【請求項７】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックと前記端部ブロックは、同じクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックには、その見かけの硬度が前記端部ブロックの前記硬度調整手段が設けられていない外方周縁部の見かけの硬度よりも低くなるように調整する第２の硬度調整手段が設けられ、
前記硬度調整手段が、前記端部ブロックの上面又は下面に形成された複数の凹溝であり、
前記複数の凹溝はマットレスの長手方向に配列され、前記中央ブロックと接する方向に向かって、各凹溝の空隙体積が漸次増加するように形成された配列領域を有し、
前記仰臥姿勢の使用者の肩部と接する位置と対応する部分に、少なくとも、前記複数の凹溝のうち空隙体積が最も大きい凹溝が配置され、
前記第２の硬度調整手段が、前記中央ブロックの上面又は下面に形成された複数のスリット、貫通孔、若しくは溝であることを特徴とするマットレス。
【請求項８】
前記凹溝の空隙体積の増加は、溝深さの増大、溝幅の拡大又はこれらの組み合わせにより行われることを特徴とする請求項７に記載のマットレス。
【請求項９】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックと前記端部ブロックは、同じクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックには、その見かけの硬度が前記端部ブロックの前記硬度調整手段が設けられていない外方周縁部の見かけの硬度よりも低くなるように調整する第２の硬度調整手段が設けられ、
前記硬度調整手段が、前記端部ブロックの上面又は下面に形成された複数の凹溝であり、
前記複数の凹溝はマットレスの長手方向に配列され、前記中央ブロックと接する方向に向かって、隣接する凹溝と凹溝との間隔が漸次狭くなるように形成された配列領域を有し、
前記仰臥姿勢の使用者の肩部と接する位置と対応する部分における、隣接する凹溝と凹溝との間隔の平均値が、他の部分における平均値よりも小さくなるように凹溝が配置され、
前記第２の硬度調整手段が、前記中央ブロックの上面又は下面に形成された複数のスリット、貫通孔、若しくは溝であることを特徴とするマットレス。
【請求項１０】
マットレスの幅方向の中央部に配置され、仰臥姿勢の使用者の少なくとも背中及び腰を支持する中央ブロックと、
マットレスの幅方向の両端部に配置され、仰臥姿勢の使用者の少なくとも肩部を支持する端部ブロックとからなるマットレスユニットを含むマットレスであって、
前記中央ブロックと前記端部ブロックは、同じクッション材で形成されており、
前記端部ブロックには、前記中央ブロックと接する方向に向かって、その見かけの硬度が漸次低くなる硬度勾配が形成されるように調整すると共に、仰臥姿勢の使用者の肩部と接する位置の見かけの硬度が前記中央ブロックの見かけの硬度よりも低くなる硬度ポケットが生じるように調整する硬度調整手段が設けられ、
前記中央ブロックには、その見かけの硬度が前記端部ブロックの前記硬度調整手段が設けられていない外方周縁部の見かけの硬度よりも低くなるように調整する第２の硬度調整手段が設けられ、
前記硬度調整手段が、前記端部ブロックの厚み方向に形成された複数の貫通孔であり、
前記複数の貫通孔の配置は、前記中央ブロックと接する方向に向かって、前記貫通穴の空隙容積または個数の少なくとも一方が漸次増加するように形成された領域を有し、
前記仰臥姿勢の使用者の肩部と接する位置と対応する部分に、少なくとも、前記複数の貫通孔のうち空隙容積が最も大きい貫通孔が配置されているか、隣接する貫通孔と貫通孔との間隔の平均値が、他の部分における平均値よりも小さくなるように貫通孔が配置され、
前記第２の硬度調整手段が、前記中央ブロックの上面又は下面に形成された複数のスリット、貫通孔、若しくは溝であることを特徴とするマットレス。
【請求項１１】
前記中央ブロック及び前記端部ブロックを形成するクッション材は、樹脂発泡体、三次元網状構造体又は綿成形体であることを特徴とする請求項７〜１０のいずれか１項に記載のマットレス。
【請求項１２】
前記硬度ポケットにおける見かけの硬度の最小値は、前記中央ブロックの中央部の見かけの硬度の値に対する比（硬度ポケットにおける見かけの硬度の最小値／中央ブロックの中央部の見かけの硬度の値）として、０．３〜０．６であることを特徴とする請求項１〜１１のいずれか１項に記載のマットレス。